(57)【要約】【課題】複数の時間帯で電気料金の単価が異なっていても、使用者の生活スタイルに合わせた目標使用量を表示する。【解決手段】制御部１５は、使用頻度算出部４３において過去の所定日数の電気使用量データに基づき１日のうちの各時間帯の電気の使用頻度を算出し、使用平均単価算出部４４において各時間帯における電気の使用頻度と単価入力部１２で入力された時間帯別の電気の単価とを乗じ、各時間帯の乗算値を合計して１日の電気使用平均単価を算出し、目標使用量算出部４５において目標使用料金を電気使用平均単価で除して目標使用量を算出する。そして、使用量、使用料金、目標使用料金、及び使用者の生活スタイルに合せた目標使用量を表示部１６に表示する。【選択図】図２
2011196642.tif 000002
【特許請求の範囲】
【請求項１】
給湯装置で使用するガスや水、この給湯装置を設置する住宅で使用する電気等の各エネルギーの使用量を表示するエネルギー使用量表示装置であって、
経過日時に対応させて各エネルギーの使用量を集計して使用量データを作成する集計処理部と、
各エネルギーの単価を入力する単価入力部と、
各エネルギーの目標使用料金を入力する目標値入力部と、
各エネルギーの単価、目標使用料金及び使用量データに基づいて所定期間単位の各エネルギーの使用量、使用料金及び目標使用量を算出する制御部と、
各エネルギーの使用量、使用料金、目標使用量及び目標使用料金を表示可能とする表示部とを備え、
前記単価入力部は、１日を複数の時間帯に区切って各時間帯での電気の単価を設定できるように構成され、
前記制御部は、
各エネルギーの使用量データ、単価及び目標使用料金を記憶する記憶部と、
過去の所定日数の電気の使用量データに基づいて、１日のうちの各時間帯の電気の使用頻度を算出する使用頻度算出部と、
各時間帯に対して電気の使用頻度と単価とを乗じ、各時間帯の乗算値を合計して１日の電気使用平均単価を算出する使用平均単価算出部と、
電気の目標使用料金を電気使用平均単価で除して電気の目標使用量を算出する目標使用量算出部とを備えるエネルギー使用量表示装置。
【請求項２】
請求項１に記載のエネルギー使用量表示装置において、
前記使用頻度算出部は、前記所定日数（Ｘ日数）の間に水道の水が所定のＹ日数以上使用されていない場合には、前記電気の使用頻度として前回算出した電気の使用頻度を使用するかあるいは水道の水が使用されていない日数を除いた所定日数（Ｘ日数）の電気の使用量データに基づいて電気の使用頻度を算出するエネルギー使用量表示装置。
【発明の詳細な説明】
【技術分野】
【０００１】
本発明は、給湯装置で使用するガスや水、この給湯装置を設置する住宅で使用する電気等の各エネルギーの使用量を表示するエネルギー使用量表示装置に関するものである。
【背景技術】
【０００２】
従来、給湯装置で使用するガスや水、さらには給湯装置が設置される住宅で使用する電気の使用量を給湯装置の給湯を制御するリモコンに表示できるようにした給湯装置が知られている（特許文献１）。
【０００３】
この給湯装置では、給湯装置で使用したガス及び水の使用量は、給湯装置の本体内に設置するガス量検出手段及び水量検出手段でガス量及び水量を検出することにより集計され、リモコンに内蔵する記憶手段に集計したガス使用量及び水使用量が記録される。また、住宅で使用した電気の使用量は、分電盤に配置した電力測定ユニットで電力を測定することにより集計され、リモコンに内蔵する記憶手段に集計した電気使用量が記録される。そして、使用者がリモコンを操作することにより、給湯装置で使用されたガス使用量及び水使用量や、住宅で使用した電気使用量がリモコンの表示画面に表示される。
【０００４】
さらに、前記リモコンには、使用者の操作によりガス、水、電気各々の１月の目標使用料金及び目標使用量も表示画面に表示される。具体的には、使用者がリモコンにガス、水、電気の各単価と、各エネルギーの目標使用料金とを入力すると、リモコン内の制御部が、これらの入力データに基づいて各エネルギーの目標使用量を算出し、入力した各目標使用料金及び算出した各目標使用量が表示画面に表示される。
【先行技術文献】
【特許文献】
【０００５】
【特許文献１】特開２００８−１５７５０２号公報
【発明の概要】
【発明が解決しようとする課題】
【０００６】
ところで、上記リモコンに電気の目標使用量を表示させるにあたって、使用者が電力会社と契約した料金プランが一般的な従量電灯である場合には、使用者が目標使用料金をリモコンに入力し、該目標使用料金を電力会社と契約した従量電灯の単価で除することにより目標使用量を算出することができる。
【０００７】
しかしながら、電力需要は日中に集中するため、発電設備も日中の電力需要ピークに対応したものとしなければならないことから、夜間の電力需要を拡大して電力需要の平準化を図ることが望まれている。そこで、電力会社は、夜間電力の利用を促進させるため、日中よりも夜間の電気料金の単価が安価である料金プランなど各種の料金プランを提案している。
【０００８】
さらに、電力会社は、電力需要者（顧客）の生活様式の多様化に応じて、電力需要者へ供給する電気を様々な料金プランで提供している。例えば、使用者の生活スタイルにより１日の中で電力を多く使用する時間帯が異なることを考慮して、単価が異なる複数の時間帯に区切った料金プランが複数種類設定されている。
【０００９】
従って、上記のように時間帯によって単価が異なり、しかも時間帯別の電気の使用頻度が使用者によって異なる場合に、一般的な従量電灯の料金設定に基づく目標使用量の算出方法を使用すると、使用者の時間帯別の使用頻度に合わせた目標使用量が算出できないだけでなく、実際の電気使用料金及び電気使用量と、目標使用料金及び目標使用量とに大きな差異が発生して、目標使用料金と目標使用量との整合性にズレが生じるという問題がある。
【００１０】
本発明は、上記事情に鑑みてなされたものであり、本発明の目的は、１日のうち複数の時間帯で電気使用料金の単価が異なる場合でも、使用者の時間帯別の使用頻度に合わせた電気の目標使用量をより正確に表示できるエネルギー使用量表示装置を提供することにある。
【課題を解決するための手段】
【００１１】
本発明は、給湯装置で使用するガスや水、この給湯装置を設置する住宅で使用する電気等の各エネルギーの使用量を表示するエネルギー使用量表示装置であって、
経過日時に対応させて各エネルギーの使用量を集計して使用量データを作成する集計処理部と、
各エネルギーの単価を入力する単価入力部と、
各エネルギーの目標使用料金を入力する目標値入力部と、
各エネルギーの単価、目標使用料金及び使用量データに基づいて所定期間単位の各エネルギーの使用量、使用料金及び目標使用量を算出する制御部と、
各エネルギーの使用量、使用料金、目標使用量及び目標使用料金を表示可能とする表示部とを備え、
前記単価入力部は、１日を複数の時間帯に区切って各時間帯での電気の単価を設定できるように構成され、
前記制御部は、
各エネルギーの使用量データ、単価及び目標使用料金を記憶する記憶部と、
過去の所定日数の電気の使用量データに基づいて、１日のうちの各時間帯の電気の使用頻度を算出する使用頻度算出部と、
各時間帯に対して電気の使用頻度と単価とを乗じ、各時間帯の乗算値を合計して１日の電気使用平均単価を算出する使用平均単価算出部と、
電気の目標使用料金を電気使用平均単価で除して電気の目標使用量を算出する目標使用量算出部とを備えるエネルギー使用量表示装置である。
【００１２】
上記エネルギー使用量表示装置によれば、過去の所定日数の電気使用量データから使用者の時間帯別の使用頻度が算出され、該使用頻度と時間帯別の単価とから電気使用平均単価が求められるから、この電気使用平均単価と使用者が設定した目標使用料金とに基づいて電気の目標使用量を算出することができる。その結果、複数の時間帯で単価が異なり、使用者の時間帯別の使用頻度が異なっていても、実際の使用者の使用頻度に合致したより正確な目標使用量を表示させることができる。
【００１３】
上記エネルギー使用量表示装置において、前記使用頻度算出部は、前記所定日数（Ｘ日数）の間に水道の水が所定のＹ日数以上使用されていない場合には、前記電気の使用頻度として前回算出した電気の使用頻度を使用するかあるいは水道の水が使用されていない日数を除いた所定日数（Ｘ日数）の電気の使用量データに基づいて電気の使用頻度を算出することが好ましい。
【００１４】
すなわち、冷蔵庫は１年を通して毎日使用されるので、数日間、家を留守にしていても電気料金は発生する。しかしながら、過去の電気使用量データから時間帯別の使用頻度を算出する場合に、留守にしていた期間の電気使用量は使用者が在宅している期間のそれよりも少ないため、長期の不在期間の電気使用量も考慮して使用頻度を算出すると、正確な使用頻度が算出されないこととなる。一方、電気と異なり、水の使用量は使用者が水道を開栓しなければ増加しないため、水の使用状態で使用者が留守かどうかを判断できる。従って、水が使用されていない日数が所定のＹ日数以上である場合には、前回算出した使用頻度をそのまま使用して電気使用平均単価を算出するか、あるいは水が使用されていない日数を除いた過去のＸ日数分の電気使用量データに基づいて電気の使用頻度を算出すれば、さらに正確に電気の目標使用量を算出することができる。
【発明の効果】
【００１５】
以上のように、本発明のエネルギー使用量表示装置によれば、過去の所定日数の電気使用量データから時間帯別の使用頻度を算出し、該使用頻度と時間帯別の単価とから電気使用平均単価を求め、この電気使用平均単価と使用者が設定した目標使用料金とに基づいて目標使用量が設定されるので、使用者の生活スタイルに合せた目標使用量をより正確に表示させることができる。
【図面の簡単な説明】
【００１６】
【図１】本発明の一実施形態に係るエネルギー使用量表示装置（給湯装置のリモコンに適用）を備える給湯装置の全体概略構成を示すブロック図である。
【図２】本発明の一実施形態に係るエネルギー使用量表示装置（リモコン）の概略構成を示すブロック図である。
【図３】本発明の一実施形態に係るエネルギー使用量表示装置（リモコン）の外観図である。
【図４】本発明の一実施形態に係るリモコンの表示部におけるエネルギーのチェックメニュー画面の表示例を示す画面構成図である。
【図５】本発明の一実施形態に係るリモコンの表示部における電気の使用量期間選択画面の表示例を示す画面構成図である。
【図６】本発明の一実施形態に係るリモコンの表示部における今月の電気使用量の一覧画面の表示例を示す画面構成図である。
【図７】本発明の一実施形態に係るリモコンの表示部における今月と先月と前年の同月の電気使用量及び使用料金を表示する画面の表示例を示す画面構成図である。
【図８】本発明の一実施形態に係るリモコンの表示部における今週の電気使用量の一覧画面の表示例を示す画面構成図である。
【図９】本発明の一実施形態に係るリモコンの表示部における今週と先週の電気使用量及び使用料金を表示する画面の表示例を示す画面構成図である。
【図１０】本発明の一実施形態に係るリモコンの表示部における今日の電気使用量の一覧画面の表示例を示す画面構成図である。
【図１１】本発明の一実施形態に係るリモコンの表示部における今日と昨日の電気使用量及び使用料金を表示する画面の表示例を示す画面構成図である。
【図１２】本発明の一実施形態に係るリモコンの表示部における昨日の電気使用量の一覧画面の表示例を示す画面構成図である。
【図１３】本発明の一実施形態に係るリモコンの表示部における電気のエネルギーチェック設定画面の表示例を示す画面構成図である。
【図１４】本発明の一実施形態に係るリモコンの表示部における電気の単価入力画面の表示例を示す画面構成図である。
【図１５】本発明の一実施形態に係るリモコンの表示部における電気の目標値入力画面の表示例を示す画面構成図である。
【発明を実施するための形態】
【００１７】
以下に、本発明の実施の形態について添付図面を参照しながら説明する。
本実施の形態によるエネルギー使用量表示装置は、図１の全体概略構成ブロック図に示すように、給湯装置２に通信接続されて給湯装置２の遠隔操作等を行うリモコン１に適用されたものである。リモコン１は、給湯装置２で使用されるガス及び水の使用量の他に、この給湯装置２を設置する住宅全体の電気使用量を表示する。
【００１８】
図１に示すように、給湯装置２は、熱交換器２１と、熱交換器２１を加熱するバーナ２２と、熱交換器２１に配管接続された給水管２３及び出湯管２４と、バーナ２２へ燃料ガスを供給するガス配管２５と、この給湯装置２の動作制御を行う制御盤２６と、電源回路２７とを備える。なお、リモコン１は、制御盤２６と通信接続されている。
【００１９】
ガス配管２５には、この給湯装置２で使用されるガス量を常時計測するためのガス量計測器２８が設けられている。ガス量計測器２８で計測したガス量の計測値は、計測値信号として給湯装置２の制御盤２６を介してリモコン１へ送信される。給水管２３には、この給湯装置２で使用される水量を常時計測するための水量計測器２９が設けられている。水量計測器２９で計測した水量の計測値は、計測値信号として給湯装置２の制御盤２６を介してリモコン１へ送信される。なお、ガス量計測器２８や水量計測器２９としては、例えば、所定の計測量毎にパルス信号を発生する計測器が使用可能である。水量計測器２９は、リモコン１の運転スイッチがＯＦＦのときでも、バーナ２２が燃焼していないときでも、水量を計測することができる。
【００２０】
また、この給湯装置２を設置する住宅の分電盤３には、この住宅の電気使用量を常時計測する電力測定ユニット３１が設けられており、この電力測定ユニット３１によって住宅で使用される電力が測定される。この電力測定ユニット３１で測定した電気使用量の計測値は、計測値信号として給湯装置２の制御盤２６を介してリモコン１へ送信される。なお、分電盤３は、電力送電線（図示せず）から引き込まれた引込線３２を住宅の各電気コンセント等に分岐させており、電力測定ユニット３１は、この引込線３２に接続されてこの住宅で使用される電気使用量を測定する。給湯装置２の電源回路２７も、この引込線３２から分岐接続された電気コンセントに接続されている。
【００２１】
本発明に係るエネルギー使用量表示装置としてのリモコン１は、図１に示すように、集計処理部１１と、単価入力部１２と、目標値入力部１３と、表示項目選択スイッチ部１４と、制御部１５と、表示部１６とを有する。さらに、図２のリモコン１の概略構成ブロック図に示すように、制御部１５は、記憶部４１と、表示データ作成部４２と、電気の使用頻度を算出する使用頻度算出部４３と、電気使用平均単価を算出する使用平均単価算出部４４と、各エネルギーの目標使用量を算出する目標使用量算出部４５とを備える。なお、図１及び図２のブロック図に示すリモコン１の構成は、エネルギーを表示させるために用いる構成のみを示しているが、リモコン１は、図３の外観図に示すように、給湯装置２を運転するための運転スイッチ１７や給湯温度などの設定を行なう設定スイッチ５１等も有する。
【００２２】
図３を参照して、リモコン１には、表示画面となる表示部１６の下方に、運転のＯＮ／ＯＦＦを行なうための運転スイッチ１７と、自動運転を行なうための自動スイッチ１８と、他の部屋との通話を行なうための通話スイッチ１９も設けられている。
【００２３】
リモコン１の表示部１６としては、例えば、液晶、ＬＥＤ、ドットマトリクス型表示器等、各種の表示器が使用可能である。本実施の形態では、表示部１６は液晶タッチパネルで形成されている。この表示部１６には各種項目スイッチ及び数値入力ためのアップダウンスイッチが表示されて、何れかのスイッチを押し操作することにより項目の選択や、数値の入力が行なわれる。なお、図３の表示部１６の表示画面はトップ画面を示しており、設定スイッチ５１と、追焚スイッチ５２と、エネルギーチェックスイッチ５３と、数値入力のためのアップダウンスイッチ５４ａとが表示されている。
【００２４】
（チェックメニュー画面）
また、図３のトップ画面の表示部１６において、エネルギーチェックスイッチ５３が選択されると、図４に示すようなエネルギーチェックのためのチェックメニュー画面が表示される。このチェックメニュー画面では、給湯装置２で使用したガス及び水と住宅全体で使用した電気の各々の使用量及び使用料金や、各エネルギーの目標使用量及び目標使用料金や二酸化炭素排出量、光熱費を表示させたりする項目スイッチが表示されると共に、目標使用量や単価を設定したりするためのスイッチなどが表示される。
【００２５】
本実施の形態では、ガスの使用量等を表示させるためのガス量表示スイッチ５５、水道の使用量等を表示させるための水道量表示スイッチ５６、電気の使用量等を表示させるための電気量表示スイッチ５７、二酸化炭素排出量を表示させるためのＣＯ2排出量表示スイッチ５８、光熱費を表示させるための光熱費表示スイッチ５９、各エネルギーの目標使用料金や単価を設定するための設定スイッチ６０、そして、前の画面であるトップ画面に戻るための戻りスイッチ６１ａが表示される。
【００２６】
（エネルギー使用量期間の選択画面）
さらに、本実施の形態では、ガス量表示スイッチ５５、水道量表示スイッチ５６そして電気量表示スイッチ５７の何れかが選択されると、月単位、週単位又は日単位で各エネルギーの使用量の表示を選択できる画面が表示される。例えば、図４において、電気量表示スイッチ５７が選択されると、図５に示す電気の使用量期間選択画面が表示され、期間を選択するための月単位スイッチ６２、週単位スイッチ６３そして日単位スイッチ６４が表示される。なお、戻りスイッチ６１ｂが選択されると、図４のチェックメニュー画面に戻る。
【００２７】
（一覧画面及び使用量比較画面）
図５の電気の使用量期間選択画面で月単位スイッチ６２が選択されると、図６に示すように今月の日毎の電気使用量の一覧画面が表示され、さらに、この画面の使用量スイッチ６５ａが選択されると、図７に示すような今月と先月と前年の同月の電気使用量及び使用料金が表示される。なお、図６及び図７において、メニュースイッチ６６ａ，６６ｂが選択されると、図４のチェックメニュー画面に戻り、図６及び図７の月週日スイッチ６７ａ，６７ｂが選択されると、図５の電気の使用量期間選択画面に戻る。また、図７において、一覧スイッチ６８ａが選択されると、図６の一覧画面に戻る。
【００２８】
また、図５の電気の使用量期間選択画面で週単位スイッチ６３が選択されると、月単位と同様に、図８に示すように今週の曜日毎の電気使用量の一覧画面が表示され、さらに、この画面の使用量スイッチ６５ｂが選択されると、図９に示すような今週と先週の電気使用量及び使用料金が表示される。なお、図８及び図９において、メニュースイッチ６６ｃ，６６ｄが選択されると、図４のチェックメニュー画面に戻り、図８及び図９の月週日スイッチ６７ｃ，６７ｄが選択されると、図５の電気の使用量期間選択画面に戻る。また、図９において、一覧スイッチ６８ｂが選択されると、図８の一覧画面に戻る。
【００２９】
また、図５の電気の使用量期間選択画面で日単位スイッチ６４が選択されると、図１０に示すように今日の時間毎の電気使用量の一覧画面が表示され、さらに、この画面の使用量スイッチ６５ｃが選択されると、図１１に示すような今日と昨日の電気使用量及び使用料金が表示される。また、図１０の表示画面で、昨日スイッチ６９が選択されると、図１２に示すように昨日の電気使用量の一覧画面が表示され、図１２の一覧画面で今日スイッチ７０が選択されると図１０の一覧画面に戻る。なお、図１０乃至図１２において、メニュースイッチ６６ｅ，６６ｆ，６６ｇが選択されると、図４のチェックメニュー画面に戻り、図１０乃至図１２の月週日スイッチ６７ｅ，６７ｆ，６７ｇが選択されると、図５の電気の使用量期間選択画面に戻る。また、図１１において、一覧スイッチ６８ｃが選択されると、図１０の一覧画面に戻る。
【００３０】
図６、図８、図１０、及び図１２に示すように、使用量の一覧は、使用量を所定期間単位毎に時系列的に棒グラフ等によって表示させるのであって、目標使用料金に基づいて算出された目標使用量を示すライン８１ａ，８１ｃ，８１ｅ，８１ｇのほか、ガス・水道・電気のエネルギー種の表示、選択した期間単位の表示、ｍ3／ｈ・ｋＷｈ・リットル／分の尺度なども併せて表示される。
【００３１】
また、図７、図９、及び図１１に示すように、現在の使用量と目標使用量との比較、及び現在と過去の使用量との比較を表示する場合は、目標使用量に対する今月、今週または今日の現時点までの使用量の割合、現在と過去の使用量の割合が帯グラフによって表示される。この現時点までの使用量と目標使用量及び過去とを比較する使用量比較画面には、目標使用量を示すライン８１ｂ，８１ｄ，８１ｆのほか、ガス・水道・電気のエネルギー種の表示、選択した期間単位の表示、ｍ3／ｈ・ｋＷｈ・リットル／分・料金の尺度なども併せて表示される。さらに、各目標ラインの数表示部分には、目標値入力部１３で設定した目標使用料金と、この目標使用料金に基づいて算出された目標使用量とが表示される。なお、使用量比較画面において、現時点までの使用料金と目標使用料金とを帯グラフで比較表示してもよい。
次に、本実施の形態のエネルギー使用量表示装置の各構成について、具体的に説明する。
【００３２】
[集計処理部]
図１及び図２に示すリモコン１の集計処理部１１は、給湯装置２の制御盤２６から送信されてきたガス、水、電気の各々の計測値信号により各々の使用量を集計して使用量データを作成する。この集計処理部１１は、図示していないが、時計及びカレンダー機能を有する計時部と、ガス、水及び電気の使用量を集計して使用量データを作成する集計部と、使用量データを記録する集計記憶部とを備える。各使用量データは経過日時に対応させて集計されており、使用量データは、集計処理部１１の集計記憶部から制御部１５に設けた記憶部４１に出力されて、制御部１５の記憶部４１においてエネルギー別に記憶される。
【００３３】
[単価入力部]
単価入力部１２は、ガス、水、電気の各々の単価を使用者によって設定入力するものであり、各々の単価を入力するための項目スイッチと、数値入力ためのアップダウンスイッチとを備える。具体的には、例えば電気の単価を入力する場合、前述した図４の表示部１６のチェックメニュー画面において設定スイッチ６０を操作し、電気量表示スイッチ５７を操作すると、図１３に示す電気のエネルギーチェック設定画面が表示される。そして、図１３の設定画面において、単価スイッチ７１が選択されると、図１４に示す単価入力画面が表示され、この単価入力画面が単価入力部１２となる。
【００３４】
なお、図１３の電気のエネルギーチェック設定画面では、電気料金の単価を３段階に分けて表示すると共に、１月の目標使用料金も表示される。本実施の形態では、午前１０時から午後５時までの昼時間と、午前７時から午前１０時まで及び午後５時から午後１１までの朝晩時間と、午後１１時から午前７時までの深夜時間との３段階に時間帯が区分され、各時間帯の単価が異なる料金プランに対して使用者が契約で決められた単価を入力するようになっている。
【００３５】
そして、図１４の単価入力部１２となる単価入力画面では、前スイッチ７３又は次スイッチ７４を選択することにより、画面に表示される朝晩時間の単価、昼時間の単価、または、深夜時間の単価の何れかが選択される。そして、数値入力ためのアップダウンスイッチ５４ｂを操作することにより、各時間帯で決められた単価が入力され、決定スイッチ７５ａが押されると、その時間帯の単価が設定され、図１３の電気のエネルギーチェック設定画面に戻ってこの設定画面に入力した単価が表示される。なお、本実施の形態では、電気の単価として３段階に分けた単価が用いられているが、深夜時間とその他の時間との２段階に分けた単価や、４段階以上に分けた単価、さらには複数の時間帯のうちの所定の時間帯を季節によって変更した単価が用いられてもよい。
【００３６】
[目標値入力部]
目標値入力部１３は、ガス、水及び電気の各々の目標使用料金を使用者によって設定入力するものであり、各々の目標使用料金を入力するための数値入力ためのアップダウンスイッチなどを備える。具体的には、例えば電気の目標使用料金を入力する場合、図４の表示部１６のチェックメニュー画面において設定スイッチ６０を操作し、電気量表示スイッチ５７を操作すると、図１３に示す電気のエネルギーチェック設定画面が表示される。そして、図１３の設定画面において、電気スイッチ７２が選択されると、図１５に示す目標値入力画面が表示される。この目標値入力画面が目標値入力部１３となる。
【００３７】
そして、図１５の目標値入力画面において、数値入力のためのアップダウンスイッチ５４ｃを操作して、使用者が希望する１月の目標使用料金を入力し、決定スイッチ７５ｂを押すと、入力した目標値が設定されて、図１３の電気のエネルギーチェック設定画面に戻り、この設定画面に入力した目標使用料金が表示される。そして、図１３の電気のエネルギーチェック設定画面に表示される戻りスイッチ６１ｃを選択することにより、図４のチェックメニュー画面に戻る。
【００３８】
[表示項目選択スイッチ部]
表示項目選択スイッチ部１４は、表示部１６における表示項目を選択するための各種の選択スイッチを備える。これら選択スイッチとしては、例えば、前述したエネルギーチェックスイッチ５３、ガス量表示スイッチ５５、水道量表示スイッチ５６、電気量表示スイッチ５７、ＣＯ２排出量表示スイッチ５８、光熱費表示スイッチ５９、戻りスイッチ６１ａ〜６１ｃ、使用量スイッチ６５ａ〜６５ｄ、メニュースイッチ６６ａ〜６６ｇ、月週日スイッチ６７ａ〜６７ｇ、一覧スイッチ６８ａ〜６８ｃなどの画面を選択するスイッチや、月単位スイッチ６２、週単位スイッチ６３、日単位スイッチ６４などの期間を選択して表示させるスイッチ等が挙げられる。
【００３９】
[制御部]
制御部１５は、単価入力部１２により入力された単価、及び集計処理部１１で集計された使用量データに基づいて所定期間単位の各エネルギーの使用量及び使用料金や目標使用量を算出する。
【００４０】
図２を参照して、制御部１５は、集計処理部１１で集計した各エネルギーの使用量データと、単価入力部１２及び目標値入力部１３で設定入力した各エネルギーの単価及び目標使用料金とを記憶する記憶部４１を備える。さらに、制御部１５は、記憶部４１に記憶されている各種データと表示項目選択スイッチ部１４で選択した要求内容とに基づいて表示部１６に表示するための表示データを作成する表示データ作成部４２を備える。
次に、上記エネルギー使用量表示装置において、実際に使用された使用料金及び使用量や目標使用量などを算出し、それらを表示するための方法について具体的に説明する。
【００４１】
（電気の使用頻度の算出）
本実施の形態では、電気の単価が３つの時間帯に分けて設定されているため、電力会社で設定する従量電灯に従った電気の単価と目標使用料金とにより目標使用量を正確に算出することができない。
【００４２】
そこで、本実施の形態では、制御部１５は、使用頻度算出部４３において、まず、集計処理部１１で集計した電気使用量データに基づいて、１日のうちの各時間帯の電気の使用頻度を算出する。
【００４３】
具体的には、使用頻度算出部４３は、集計処理部１１で集計した過去Ｘ日間分（本実施の形態では、７日分）の１日の使用量データから、時間帯別の電気使用頻度を算出する。この場合、複数に区分された時間帯の数をｎ（本実施の形態では、ｎ＝３）とすると、時間帯１から時間帯ｎまでの各々の電気使用頻度は以下の計算式（１）〜（４）から算出される。
時間帯１の使用頻度＝（Ｘ日分の時間帯１の使用量データの合計）／（Ｘ日分の２４時間の使用量データの合計）      （１）
時間帯２の使用頻度＝（Ｘ日分の時間帯２の使用量データの合計）／（Ｘ日分の２４時間の使用量データの合計）      （２）
時間帯ｎ−１の使用頻度＝（Ｘ日分の時間帯ｎ−１の使用量データの合計）／（Ｘ日分の２４時間の使用量データの合計）      （３）
時間帯ｎの使用頻度＝１−（時間帯１の使用頻度＋時間帯２の使用頻度＋・・・＋時間帯ｎ−１の使用頻度）      （４）
【００４４】
なお、使用頻度算出部４３は、過去Ｘ日間分のうち、所定のＹ日数以上（例えば４日以上）、水道の水が使用されていない場合には、その期間は使用者が留守であったと判断して、使用頻度を算出せず、前回算出した使用頻度、即ち、先月に算出した使用頻度をそのまま使用する。あるいは、所定Ｙ日数以上、水が使用されなかった場合には、その水が使用されなかったＹ日数を除いた過去Ｘ日数分（本実施の形態では、７日分）の電気使用量データに基づいて時間帯別の電気の使用頻度を算出してもよい。
【００４５】
このように、検出した水の使用量データから使用者が留守にしているかどうかを判断して、水が使用されなかった日は使用頻度の算出から除外するので、より正確に目標使用量を算出することができる。
【００４６】
（電気使用平均単価の算出）
次に、使用平均単価算出部４４は、以下の式（５）に示すように、使用頻度算出部４３で求めた各時間帯での電気使用頻度と、単価入力部１２で入力された対応する時間帯の単価とを乗じ、各乗算値を合計して１日の電気使用平均単価を求める。
電気使用平均単価＝（時間帯１の使用頻度×時間帯１の単価）＋（時間帯２の使用頻度×時間帯２の単価）＋・・・＋（時間帯ｎの使用頻度×時間帯ｎの単価）      （５）
【００４７】
（目標使用量の算出）
そして、目標使用量算出部４５は、目標値入力部１３により入力された電気の目標使用料金を上記で求めた電気使用平均単価で除する以下の式（６）により、次月の目標使用量を算出する。
目標使用量＝目標使用料金／電気使用平均単価      （６）
なお、１日の目標使用量は、上記で得られた目標使用量をその月の日数で除することにより、１時間の目標使用量は、１日の目標使用量を２４時間で除することにより算出できる。
【００４８】
（目標使用量の表示データの作成）
表示データ作成部４２は、算出された電気の目標使用量に基づいて表示部１６に表示させるための目標使用料金と目標使用量の表示データを作成して、表示部１６に電気の目標使用量及び目標使用料金を表示させる。
【００４９】
（使用量及び使用料金の表示データの作成）
また、表示データ作成部４２は、ガス、水、電気の各々に対して、単価入力部１２により入力された単価と、集計処理部１１で集計した使用量データとに基づいて、表示項目選択スイッチ部１４による要求内容に応じた所定期間に実際に使用された使用量及び使用料金を算出して、表示部１６に表示するための表示データを作成し、表示部１６に出力する。
【００５０】
図６に示す使用量の一覧を表示させる場合には、使用者が要求するエネルギー種が選択され、さらに、使用者が要求する期間単位が選択されると、表示データ作成部４２は、記憶部４１に記憶されたデータから選択されたエネルギー種の期間単位のデータを読み出して、この期間単位の表示データを作成する。そして、この表示データにより、図６などに示すような使用量の一覧が表示部１６に表示される。このように、使用量の一覧を表示させることにより現在までの使用量の推移が一目で分かるので、今後のエネルギー使用の節約等に役立てることができる。
【００５１】
また、エネルギー使用量と過去のデータとを比較する場合には、使用者が要求するエネルギー種、及び期間単位が選択され、さらに、使用量スイッチ６５ａ〜６５ｄが操作されると、表示データ作成部４２は、記憶部４１に記憶されたデータから選択されたエネルギー種の期間単位の現在と過去のデータを読み出して、この期間単位の表示データを作成する。そして、この表示データにより、図７などに示すような使用量の比較表示が表示部１６に表示される。このように、現在までの使用量と、目標使用量及び過去のデータとの比較表示を行うことで、目標使用量に対する現在までの使用量の割合や、現在までの使用量と過去の使用量との比較が一目で分かるので、現在の使用量と、目標使用量及び過去の使用量との対比においてエネルギー使用の節約等に役立てることができる。
【００５２】
なお、図７、図９及び図１１の使用量比較を表示する画面には、ライン８１ｂ，８１ｄ，８１ｆで示す目標使用量に対する今月、今週または今日の現時点までの使用量の割合が帯グラフによって表示されているが、表示画面上、ライン８１ｂ，８１ｄ，８１ｆの各々の位置は月日が変わっても常に同じ位置に表示されるようなっている。従って、月日によって、目標使用量が異なる場合、現時点までの使用量を目標使用量で除した割合が表示される。
【００５３】
以上のように、本実施の形態に係るエネルギー使用量表示装置は、過去の電気使用量から時間帯別の使用頻度を算出し、該使用頻度と時間帯別の単価から電気使用平均単価を求め、この電気使用平均単価と使用者が設定した電気の目標使用料金とに基づいて目標使用量を算出するので、時間帯別の単価が異なり、使用者によって使用頻度も異なる場合に、電気の目標使用料金が複数の住宅で同じ金額に設定されたとしても、使用者の時間帯別の使用頻度に合わせた目標使用量を算出して表示させることができる。その結果、使用者の生活スタイルに合致した目標使用量を表示させて電気使用量の節約などに役立たせることができる。
【００５４】
なお、本発明は上記実施形態に制約されず、種々の態様が可能である。例えば、給湯装置に限らず、暖房装置のリモコンにも適用できる。また、全体の目標使用量と時間帯別の使用頻度から、時間帯別の目標使用量も求めることができる。
【符号の説明】
【００５５】
１  リモコン（エネルギー使用量表示装置）
１１  集計処理部
１２  単価入力部
１３  目標値入力部
１４  表示項目選択スイッチ部
１５  制御部
１６  表示部
２  給湯装置
２１  熱交換器
２６  制御盤
２７  電源回路
２８  ガス量計測器
２９  水量計測器
３  分電盤
３１  電力測定ユニット
４１  記憶部
４２  表示データ作成部
４３  使用頻度算出部
４４  使用平均単価算出部
４５  目標使用量算出部
【図１】
2011196642.tif 000003
【図２】
2011196642.tif 000004
【図３】
2011196642.tif 000005
【図４】
2011196642.tif 000006
【図５】
2011196642.tif 000007
【図６】
2011196642.tif 000008
【図７】
2011196642.tif 000009
【図８】
2011196642.tif 000010
【図９】
2011196642.tif 000011
【図１０】
2011196642.tif 000012
【図１１】
2011196642.tif 000013
【図１２】
2011196642.tif 000014
【図１３】
2011196642.tif 000015
【図１４】
2011196642.tif 000016
【図１５】
2011196642.tif 000017